(57)【要約】      （修正有）【課題】ナビゲーションシステムに表示されたＷｅｂ情報を記録することができるナビゲーション装置を提供する。【解決手段】通信可能にネットワークに接続されたサーバーから必要なＷｅｂ情報の要求を送信する送信手段１０と、該送信手段１０からの要求に基づき、該サーバーからされたＷｅｂ情報を受信する受信手段２０と、記録媒体に格納された情報または受信手段２０から受信されたＷｅｂ情報を入力する入力手段と、該入力手段で入力された情報を記憶する記憶手段４０と、該入力手段で入力された情報を表示する表示手段と、表示された情報を出力する出力手段６０と、送信手段１０、受信手段２０、入力手段、記録手段４０、表示手段とを制御する制御手段とにより構成し、出力手段６０を、表示手段に表示された入力手段で入力された情報を印刷する印刷装置６１で、Ｗｅｂ情報をデータとして出力する。【選択図】図２
2012058072.tif 000002
【特許請求の範囲】
【請求項１】
車両に着脱自在なナビゲーション装置において、
通信可能にネットワークに接続されたサーバーから必要なＷｅｂ情報の要求を送信する送信手段と、該送信手段からの要求に基づいて、該サーバーからされたＷｅｂ情報を受信する受信手段と、記録媒体に格納された情報または受信手段から受信されたＷｅｂ情報を入力する入力手段と、該入力手段で入力された情報を記憶する記憶手段と、該入力手段で入力された情報を表示する表示手段と、表示された情報を出力する出力手段と、送信手段、受信手段、入力手段、記録手段、表示手段とを制御する制御手段とを有し、
前記出力手段は、前記表示手段に表示された入力手段で入力された情報を印刷する印刷装置であることを特徴とするナビゲーション装置。
【請求項２】
前記印刷装置は、前記車両の操作部の正面に着脱自在に設けられていることを特徴とする請求項１記載のナビゲーション装置。
【請求項３】
前記印刷装置は、ロール紙と、該ロール紙に前記表示部に表示された情報を印刷する印刷部とからなることを特徴とする請求項１または2記載のナビゲーション装置。
【請求項４】
前記入力手段は、前記ロール紙に印刷された情報を読み取る読取部を含むことを特徴とする請求項１乃至３いずれか記載のナビゲーション装置。
【請求項５】
前記ロール紙が印刷部から出力される排出と、前記印刷装置により情報が印刷されたロール紙を読取部に読み取らせる挿入とは、共通の開口部から行われ、
前記開口部は、スリット状に形成されるとともに、前記車両の操作部の正面に設けられていることを特徴とする請求項３または４記載のナビゲーション装置。
【請求項６】
前記車両の位置を検出する位置検出手段と、目的地を設定する目的地設定手段とを備え、
前記Ｗｅｂ情報を、道路を表す地図情報とし、
前記地図情報上における前記車両の現在位置および目的地を前記表示手段に表示し、さらに、前記地図情報上における前記車両の現在位置および目的地を前記印刷装置に印刷することを特徴とする請求項１乃至５記載のナビゲーション装置。
【請求項７】
前記地図情報における前記車両の現在位置を基点とし、
前記印刷装置により、前記基点から前記目的地までのルートの印刷を長尺出力することを特徴とする請求項６記載のナビゲーション装置。
【請求項８】
前記基点から前記目的地までのルートの印刷を長尺出力は、前記印刷装置による前記地図情報上における前記車両の現在位置をおよび目的地の印刷は、前記ロール紙の送り方向の倍率を高くして行うことを特徴とする請求項７記載のナビゲーション装置。
【発明の詳細な説明】
【技術分野】
【０００１】
本発明は、車両等に搭載するナビゲーション装置に関するものであり、特にはＷｅｂ接続機能を備えた車両に搭載するナビゲーション装置に関する。
【背景技術】
【０００２】
ナビゲーションシステムを自家用車または商業車等の車両に装着することが広がっている。また、ナビゲーションシステムは、特許文献１、２のように、ＣＤ−ＲＯＭ等の記録媒体に全国の道路地図情報を複数種類格納し、複数のＧＰＳ（グローバル・ポジショニング・システム）衛星から電波を受信することにより自動車の移動位置を求めて、この移動位置を含む地図情報をディスプレイに表示するとともに、目的地までの走行ルートをディスプレイに表示して、車両の走行ルートを案内するようにしたものが実用されている。
【０００３】
さらに、最近は、地図、メール、企業等の宣伝活動または広報活動等のＷｅｂ情報を配信して、ナビゲーションシステムに表示することが可能となっている。
【特許文献１】特開平６−２８２７９４号公報
【特許文献２】特開平７ー２７２１９５号公報
【発明の開示】
【発明が解決しようとする課題】
【０００４】
しかし、特許文献１、２は、複数の車両でドライブするような場合、ナビゲーションシステムが搭載されていない車両は、道路地図帳を別途準備するとともに、ナビゲーションシステムが搭載されたディスプレイに表示される目的地までの走行ルートをその地図帳に色鉛筆で記す必要があった。
【０００５】
特に、目的地までの走行ルートが長い場合には、いちいち地図帳をめくり必要があり不便であった。また、特許文献１、２で適用されるＣＤ−ＲＯＭ等の記録媒体は、データを読み込んでナビゲーションシステムのディスプレイに表示するのみで、その表示された情報を加筆修正することはできなかった。
【０００６】
さらに、ナビゲーションシステムに表示されたＷｅｂ情報は、特許文献１、２で適用されるＣＤ−ＲＯＭ等の記録媒体と同じように、この情報をデータ受信することのみに限定したものでしかなく、ナビゲーションシステムはデータ受信用の情報端末としてのみ使用されている状況であった。このため、ナビゲーションシステムに表示されたＷｅｂ情報を記録することができなかった。
【課題を解決するための手段】
【０００７】
上記問題を解決するために、本発明は、請求項１に係る発明は、通信可能にネットワークに接続されたサーバーから必要なＷｅｂ情報の要求を送信する送信手段と、該送信手段からの要求に基づいて、該サーバーからされたＷｅｂ情報を受信する受信手段と、記録媒体に格納された情報または受信手段から受信されたＷｅｂ情報を入力する入力手段と、該入力手段で入力された情報を記憶する記憶手段と、該入力手段で入力された情報を表示する表示手段と、表示された情報を出力する出力手段と、送信手段、受信手段、入力手段、記録手段、表示手段とを制御する制御手段とを有し、出力手段は、表示手段に表示された入力手段で入力された情報を印刷する印刷装置であることを特徴とする。
【０００８】
請求項２に係る発明は、印刷装置は、車両の操作部の正面に着脱自在に設けられていることを特徴とする。請求項３に係る発明は、印刷装置を、ロール紙と、該ロール紙に表示手段５０に表示された情報を印刷する印刷部とからなることを特徴とする。請求項４記載の発明は、入力手段は、ロール紙に印刷された情報を読み取る読取部が含まれることを特徴とする。
【０００９】
請求項５に係る発明は、ロール紙が印刷部から出力される排出と、印刷装置により情報が印刷されたロール紙を読取部に読み取らせる挿入とは、共通の開口部から行われ、開口部は、スリット状に形成されるとともに、車両の操作部の正面に設けられていることを特徴とする。
【００１０】
請求項６に係る発明は、車両の位置を検出する位置検出手段と、目的地を設定する目的地設定手段とを備え、Ｗｅｂ情報を道路を表す地図情報とし、地図情報上における車両の現在位置および目的地を表示手段に表示し、さらに、地図情報上における車両の現在位置および目的地を印刷装置に印刷することを特徴とする。
【００１１】
請求項７に係る発明は、地図情報における車両の現在位置を基点とし、印刷装置により、基点から目的地までのルートの印刷を長尺出力することを特徴とする。
【００１２】
請求項８に係る発明は、基点から目的地までのルートの印刷を長尺出力は、印刷装置による地図情報上における車両の現在位置をおよび目的地の印刷は、ロール紙の送り方向の倍率を高くして行うことを特徴とする。
【発明の効果】
【００１３】
請求項１は、通信可能にネットワークに接続されたサーバーから必要なＷｅｂ情報の要求を送信する送信手段と、該送信手段からの要求に基づいて、該サーバーからされたＷｅｂ情報を受信する受信手段と、記録媒体に格納された情報または受信手段から受信されたＷｅｂ情報を入力する入力手段と、該入力手段で入力された情報を記憶する記憶手段と、該入力手段で入力された情報を表示する表示手段と、表示された情報を出力する出力手段と、表示された情報を出力する出力手段と、送信手段、受信手段、入力手段、記録手段、表示手段とを制御する制御手段とにより構成し、出力手段を、表示手段に表示された入力手段で入力された情報を印刷する印刷装置とすることにより、Ｗｅｂ情報をデータとして出力することができる。
【００１４】
請求項２は、印刷装置を車両の操作部の正面に着脱自在に設けることにより、用途目的によってナビゲーション装置の構成をユーザが自ら変更することができる。また、印刷装置から出力されたものを容易に取り出すことができる。
【００１５】
請求項３は、印刷装置を、ロール紙と、該ロール紙に表示手段５０に表示された情報を印刷する印刷部とから構成することにより請求項１を具体化して実現することができる。
【００１６】
請求項４は、入力手段に、ロール紙に印刷された情報を読み取る読取部を含めることにより、単に、ロール紙を印刷装置で印刷するのみで終わるのではなく、印刷されたものを再度、情報として利用することができる。
【００１７】
請求項５は、ロール紙が印刷部から出力される排出と、印刷装置により情報が印刷されたロール紙を読取部に読み取らせる挿入とを共通の開口部から行う構成にし、さらに、開口部をスリット状に形成して車両の操作部の正面に設けることにより、装置自体を簡素化にすることと、ロール紙の取出しおよび読み込み作業を簡単に行うことができる。
【００１８】
請求項６は、車両の位置を検出する位置検出手段と、目的地を設定する目的地設定手段とを備え、Ｗｅｂ情報を道路を表す地図情報とし、地図情報上における車両の現在位置および目的地を表示手段に表示し、さらに、地図情報上における前記車両の現在位置および目的地を印刷装置に印刷することにより、Ｗｅｂ情報を利用したナビゲーションを行うことができる。
【００１９】
請求項７は、地図情報における車両の現在位置を基点とし、印刷装置により、基点から目的地までのルートの印刷を長尺出力することにより、請求項６を具体化し、Ｗｅｂ情報を利用したナビゲーションを行うことができる。
【００２０】
請求項８は、基点から目的地までのルートの印刷を長尺出力は、印刷装置による地図情報上における車両の現在位置をおよび目的地の印刷は、ロール紙の送り方向の倍率を高くして行うことにより、基点から目的地までの主要なルート部分を印刷することができる。
【図面の簡単な説明】
【００２１】
【図１】カーナビが車両内に搭載されている図。
【図２】カーナビのシステムの概略図。
【発明を実施するための最良の形態】
【００２２】
以下、本発明の実施の形態を図面に基づいて説明する。図１に、本発明のナビゲーション装置を適用した車両を示す。図１に示すように、例えば、この車両は、インストルメント・パネル１と運転席２と助手席３と備えた乗用車である。さらに、運転手側には、ホーンパッドを具備したハンドル４と、メーターパネル５とベンチレーター（図示せず）とが設けられている。
【００２３】
メーターパネル５は、速度計・回転計・エンジンの水温系・燃料の残量計・エンジンの油圧等の計器が装着されている。図示されていないベンチレーターは、エアコンの吹き出し口となるものである。また、運転席２と助手席３を隔てる部分には、コンソールボックス６とセレクトレバー７（またはチェンジレバー）が設けられている。
【００２４】
コンソールボックス６には、ステレオ等が装着されたオーディオコントロールパネル８が設けられている。本発明のナビゲーション装置は、このコンソールボックス６の空きスペースに着脱自在に設けられている。なお、この実施の形態において車両は自家用車を記載しているがこれに限定されることはなく、救急車、消防車、パトロールカー等の特種用途自動車やタンクローリー、コンクリートミキサー、クレーン車等の特装車に適用しても良い。
【００２５】
ナビゲーション装置について図２のブロック図に基づいて説明する、図２に示すように、ナビゲーション装置は、送信手段１０と受信手段２０と入力手段３０と記録手段４０と表示手段５０と出力手段６０と位置検出手段７０と目的地設定手段８０と制御手段９０とからなる。
【００２６】
送信手段１０は、通信可能にネットワークに接続されたサーバーから必要なＷｅｂ情報の要求を送信するものである。受信手段２０は、送信手段１０からの要求に基づいて、該サーバーからされたＷｅｂ情報を受信するものである。
【００２７】
入力手段３０は、記録媒体に格納された情報または受信手段２０から受信されたＷｅｂ情報を入力するものである。具体的に、記録媒体は、ＣＤ−ＲＯＭやＤＶＤ、メモリーカード、または、後に述べる出力手段６０で出力されたものである。また、この実施の形態で記録媒体に格納されている情報は、道路情報とする。また、入力手段３０は、印刷装置６１で印刷されたロール紙６２の情報を読み込むスキャナ等の読取部３１も含む。
【００２８】
記録手段４０は、入力手段３０で入力された情報を記憶するものであり、具体的にはＲＡＭ等の書換え可能なデバイスである。表示手段５０は、入力手段３０で入力された情報を表示するものであり、具体的には、ドットマトリックスＬＣＤおよびＬＣＤ表示制御を行うためのドライバ回路（図示せず）を含んだカラー液晶装置である。また、電子ペン(図示せず)等により、表示手段３０に、直接、加筆・修正が可能な構成となっている。
【００２９】
出力手段６０は、表示手段５０で表示された情報を出力するものであり、具体的には印刷装置６１である。印刷装置６１は、ナビゲーション装置から着脱自在な構成となっており、後に述べるが記録媒体となりうるロール紙６２と、このロール紙６２に表示手段５０に表示された情報を印刷する印刷部６３とからなる。
【００３０】
具体的に、印刷装置６１は、インクジェット方式、電子写真方式、熱転写方式等であってもよいが、本発明の実施の形態では、ロール紙６２を感熱ロール紙、印刷部６３をこのロール紙６２に熱した印字ヘッドを当てて印刷する感熱方式となっている。
【００３１】
印刷装置６１を感熱方式とすることにより、メンテナンス作業が感熱ロール紙のセットのみとなる。さらに、印字ヘッドを変更することが可能となり、用途・目的によって印字ヘッドの性能を変更することができる。
【００３２】
位置検出手段７０は、車両の位置を検出するものである。位置検出手段７０は、ＧＰＳ受信機７１とジャイロスコープ７２と車速センサ７３とからなる。ＧＰＳ受信機７１は、地球上を周回している複数のＧＰＳ（全地球測位システム）衛星から発射される電波を受信するものである。
【００３３】
また、ジャイロスコープ７２と車速センサ７３は、GPS衛星からの位置情報が基本であるが、GPSだけでは誤差があることやトンネルなどでは無効なことから、これを補うものである。具体的には、ナビゲーション装置内の加速度センサと、ジャイロ・タイヤの回転に伴う車速信号の情報による自立航法を用いて補っている。
【００３４】
目的地設定手段８０は、目的地を設定するものであり、表示手段５０で表示された地図情報から電子ペン（図示せず）等で目的地を選択して行うものである。
【００３５】
制御手段９０は、送信手段１０と、受信手段２０と、入力手段３０と、記録手段４０と、表示手段５０と、出力手段６０と、位置検出手段７０とが接続されている。制御手段９０は、周知のコンピュータとして構成され、ＣＰＵ９１、ＲＯＭ９２、ＲＡＭ９３、入出力部（Ｉ／Ｏ）９４、Ａ／Ｄ変換部９５およびこれらを接続するバスライン９６が備わっている。
【００３６】
ＣＰＵ９１は、ＲＯＭ９２に記憶されているナビゲーション装置として必要最低限の動作を行うためのプログラムにより制御を行う。Ａ／Ｄ変換部９５は、位置検出手段７０などから制御手段９０に入力されるアナログデータをＣＰＵ９１で演算可能なデジタルデータに変換するものである。
【００３７】
次に、本発明のナビゲーション装置の外観を説明する。図１で述べたようにナビゲーション装置は、車両の操作正面から着脱自在に設けられている。さらに、ナビゲーション装置内部には、印刷装置６１が設けられている。印刷装置６１は、用途目的によってナビゲーション装置の構成をユーザが自ら変更することができる。この結果、Ｗｅｂ情報をデータとして出力することができる。
【００３８】
また、印刷装置６１の印刷は、地図情報における車両の現在位置を基点とし、この基点から目的地までのルートの印刷を長尺出力される。この出力をロール紙６２の送り方向の倍率を高くして行うことにより、基点から目的地までの主要なルート部分を印刷することができる。
【００３９】
特に、印刷するデータ(基点から目的地までの主要なルート部分)の縦横比率をロール紙の幅に対応させることにより、ロール紙に印刷されたデータの判読を向上することができる。さらに、印刷装置６１は、表示手段３０で加筆または修正されたデータの印刷も選択することができる。
【００４０】
また、車両の操作正面には、スリット状の開口部１００が設けられている。開口部１００は、印刷されるロール紙６２の排出口と印刷されたロール紙６２の挿入口は共通となっている。この構成により、印刷装置６１で印刷されたロール紙６２の取り出しおよび印刷したロール紙６２の読取部３１への読み込みを容易に行うことができる。
【００４１】
特に、入力部としてスキャナ等を含めることにより、読取部３１を含めることにより、単に、ロール紙６２を印刷装置６１で印刷するのみで終わるのではなく、印刷されたものを再度、情報として利用することができる。
【符号の説明】
【００４２】
１０  送信手段
２０  受信手段
３０  入力手段
４０  記録手段
５０  表示手段
６０  出力手段
７０  位置検出手段
８０  目的地設定手段
９０  制御装置
１００  開口部
【図１】
2012058072.tif 000003
【図２】
2012058072.tif 000004